(57)【要約】【課題】  軸受に対する汚物の悪影響を抑制するとともに、破砕刃の取り替え作業を含む破砕刃のメンテナンスを少ない労力で短時間に行うことのできる破砕装置の提供。【解決手段】  ２本の回転軸１，２が、軸受５ａ，５ｂ，６ａ，６ｂにより支持されてケーシング３内にほぼ平行に配置され、複数枚の破砕刃１０，１３が、２本の回転軸１，２に取り替え可能に取り付けられ、２本の回転軸１，２の回転に伴って、投入口からの破砕対象物を破砕して排出口から排出する破砕装置で、２本の回転軸１，２を支持する各軸受５ａ，５ｂ，６ａ，６ｂが、ケーシング３の外側に配置され、回転軸１，２をほぼ平行する方向へ移動させて破砕刃１０，１３と一緒にケーシング３から抜き取るための開口部が、投入口および排出口と干渉しない状態でケーシング３に設けられ、開口部を閉鎖する蓋体２０が、ケーシング３に着脱可能に設けられている。【選択図】        図５
2005296843.tif 000002
【特許請求の範囲】
【請求項１】
２本の回転軸が、その両端部をそれぞれ軸受により回転自在に支持されてケーシング内にほぼ平行に配置され、複数枚の破砕刃が、その２本の回転軸のそれぞれに取り替え可能に取り付けられていて、前記２本の回転軸の反対方向への回転に伴って、投入口からケーシング内に供給される破砕対象物を前記破砕刃により破砕して、その破砕後の処理物を排出口からケーシング外へ排出するように構成されている破砕装置であって、
前記２本の回転軸を支持する各軸受が、前記ケーシングの外側に配置され、前記回転軸をほぼ平行する方向へ移動させて前記破砕刃と一緒に前記ケーシングから抜き取るための開口部が、前記投入口および排出口と干渉しない状態で前記ケーシングに設けられ、その開口部を閉鎖する蓋体が、前記ケーシングに着脱可能に設けられている破砕装置。
【請求項２】
前記開口部が、前記２本の回転軸をそれぞれ同じ方向へ移動させて抜き取る共用の開口部で構成されている請求項１に記載の破砕装置。
【請求項３】
前記各軸受が、前記ケーシングの外表面から所定の間隔を隔てて配置されている請求項１または２に記載の破砕装置。
【発明の詳細な説明】
【技術分野】
【０００１】
本発明は、２本の回転軸が、その両端部をそれぞれ軸受により回転自在に支持されてケーシング内にほぼ平行に配置され、複数枚の破砕刃が、その２本の回転軸のそれぞれに取り替え可能に取り付けられていて、前記２本の回転軸の反対方向への回転に伴って、投入口からケーシング内に供給される破砕対象物を前記破砕刃により破砕して、その破砕後の処理物を排出口からケーシング外へ排出するように構成されている破砕装置に関する。
【背景技術】
【０００２】
このような破砕装置は、例えば、プラスチック製品などの廃棄物を再利用のために細かく破砕するためのもので、従来の破砕装置では、通常、２本の回転軸を支持する軸受が、その一部をケーシング内に入り込ませた状態でケーシングに取り付けられている（実際に実施されてはいるが、この点について言及した適切な特許文献は見当たらない）。
【発明の開示】
【発明が解決しようとする課題】
【０００３】
したがって、従来の破砕装置では、廃棄物の破砕により発生する各種の汚物が、ケーシング内に入り込んでいる軸受に対して悪影響を及ぼすという問題があり、さらに、それにも増して、破砕刃の取り替え作業に多大な労力と時間を要するという問題があった。
すなわち、従来の破砕装置において回転軸に取り付けた破砕刃を取り替える場合、回転軸の両端部を支持する軸受の一方を回転軸から取り外し、複数枚の破砕刃を回転軸から1枚ずつ抜き取って新たな破砕刃に取り替えていた。
そのためには、まずケーシングの一部を分解して一方の軸受を露出させ、その軸受を回転軸から取り外して破砕刃を取り替え、その後、軸受とケーシングの組み付け作業を行う必要があった。そして、その取り替え作業を現場で行うこともあって、取り替え作業が非常に煩雑となり、多大な労力と時間を必要とし、当然のことながら、その間においては破砕装置の使用が不能となる。
【０００４】
本発明は、このような従来の問題点に着目したもので、その目的は、軸受に対する汚物の悪影響を抑制するとともに、破砕刃の取り替え作業を含む破砕刃のメンテナンスを少ない労力で短時間に行うことのできる破砕装置を提供することである。
【課題を解決するための手段】
【０００５】
本発明の第１の特徴構成は、２本の回転軸が、その両端部をそれぞれ軸受により回転自在に支持されてケーシング内にほぼ平行に配置され、複数枚の破砕刃が、その２本の回転軸のそれぞれに取り替え可能に取り付けられていて、前記２本の回転軸の反対方向への回転に伴って、投入口からケーシング内に供給される破砕対象物を前記破砕刃により破砕して、その破砕後の処理物を排出口からケーシング外へ排出するように構成されている破砕装置であって、前記２本の回転軸を支持する各軸受が、前記ケーシングの外側に配置され、前記回転軸をほぼ平行する方向へ移動させて前記破砕刃と一緒に前記ケーシングから抜き取るための開口部が、前記投入口および排出口と干渉しない状態で前記ケーシングに設けられ、その開口部を閉鎖する蓋体が、前記ケーシングに着脱可能に設けられているところにある。
【０００６】
本発明の第１の特徴構成によれば、２本の回転軸を支持する各軸受が、ケーシングの外側に配置されているので、軸受の一部がケーシング内に入り込んでいる従来装置と比較して、ケーシング内の汚物による悪影響が少なく、しかも、ケーシングの一部を分解することなく、例えば、軸受台やケーシングから各軸受を外すことができる。
そして、回転軸をほぼ平行する方向へ移動させて破砕刃と一緒にケーシングから抜き取るための開口部が、投入口や排出口と干渉しない状態でケーシングに設けられ、その開口部を閉鎖する蓋体が、ケーシングに着脱可能に設けられているので、上述のように各軸受を外し、さらに、蓋体をケーシングから取り外しさえすれば、軸受や破砕刃と一緒に回転軸をケーシングから抜き取ることができる。
したがって、回転軸一式を他の場所、例えば、設備の整った工場などに運んで破砕刃の取り替え作業やメンテナンスを行うことができ、労力と時間を大幅に短縮して短時間のうちに再稼動することができる。
【０００７】
本発明の第２の特徴構成は、前記開口部が、前記２本の回転軸をそれぞれ同じ方向へ移動させて抜き取る共用の開口部で構成されているところにある。
【０００８】
本発明の第２の特徴構成によれば、回転軸を抜き取るための開口部が、２本の回転軸をそれぞれ同じ方向へ移動させて抜き取る共用の開口部で構成されているので、各回転軸専用の開口部をそれぞれ別に設ける場合に比べて、開口部の数がひとつで済み、ケーシングの構造を簡素化してコストダウンを図ることができる。
【０００９】
本発明の第３の特徴構成は、前記各軸受が、前記ケーシングの外表面から所定の間隔を隔てて配置されているところにある。
【００１０】
本発明の第３の特徴構成によれば、各軸受が、ケーシングの外表面から所定の間隔を隔てて配置されているので、破砕対象物の破砕によって生じる汚物が軸受内に侵入する可能性は更に低くなり、汚物による軸受への悪影響を一層確実に抑制することができる。
【発明を実施するための最良の形態】
【００１１】
本発明による破砕装置の実施の形態を図面に基づいて説明する。
この破砕装置は、例えば、プラスチック製品などの廃棄物を再利用のために細かく破砕するための装置で、図１〜図３に示すように、第１と第２の金属製の２本の回転軸１，２が、四角い箱状の金属製ケーシング３内にほぼ平行に配置され、そのケーシング３が、架台枠４上に設置固定されている。
第１回転軸１は、その両端部が２つの軸受５ａ，５ｂにより回転自在に支持され、第２回転軸２も、その両端部が２つの軸受６ａ，６ｂにより回転自在に支持されている。
【００１２】
前記架台枠４上には、ケーシング３の外表面から所定距離隔てて合計４つの軸受台７が取り付けられ、各軸受台７に対して各軸受５ａ，５ｂ，６ａ，６ｂが複数本のボルト８によりそれぞれ取り外し可能に固定されている。そして、各軸受５ａ，５ｂ，６ａ，６ｂを軸受台７に取り付けた状態で、各軸受５ａ，５ｂ，６ａ，６ｂが、ケーシング３の外表面から所定の間隔Ｔを隔てて配置されるように設定されている。
各回転軸１，２は、ケーシング３内に位置する部分が、図３に示すように、正六角形の断面形状に形成され、一方側にフランジ１ａ，２ａを一体的に備え、その一端部には、カップリング９がそれぞれ接続されて、図外の油圧モータを各別に接続できるように構成されている。
【００１３】
第１回転軸１には、正六角形の開口孔を有する金属製の第１破砕刃１０とスペーサ１１が１枚置きに外嵌され、フランジ１ａと対向する側に螺合されたナット１２を締め付けることにより、第1破砕刃１０とスペーサ１１がフランジ１ａに押し付けられて固定されるように構成されている。つまり、ナット１２の着脱によって、第１破砕刃１０とスペーサ１１が、第１回転軸１に対して取り替え可能に取り付けられている。
同様に、第２回転軸２には、第２破砕刃１３とスペーサ１１が１枚置きに外嵌されて、ナット１２の着脱により第２回転軸２に対して取り替え可能に取り付けられている。
なお、第１破砕刃１０と第２破砕刃１３は、取り付けの向きが逆になっているだけで、実質的に同じものである。
【００１４】
ケーシング３には、その上方に破砕対象物を投入する投入口１４が、その下方に破砕後の処理物を排出する排出口１５が設けられ、ケーシング３自体は、金属製の外板１６と耐磨耗性を備えた金属製のライナー１７からなる二重構造に構成され、ケーシング３内壁の所定箇所には、十分に破砕されていない破砕対象物が排出口１５から排出されるのを防止する大小２種類のスクレーパ１８がひとつ置きに取り付けられている。
そのケーシング３の対向壁、つまり、軸受５ａ，５ｂ，６ａ，６ｂが位置する側の両壁には、図４の（ロ）に示すように、一端部が半円形で、かつ、各壁に沿って延びて側方に開口する開口部１９が、投入口１４や排出口１５と干渉しないように設けられ、そのため、四角いケーシング３の一側壁２１が着脱壁に構成されて、その着脱壁２１がケーシング３に対して着脱可能に構成されている。
【００１５】
この開口部１９は、後述するように、２本の回転軸１，２をほぼ平行する方向へ移動させて破砕刃１０，１３と一緒にケーシング３から抜き取るためのものであり、したがって、着脱壁２１は、その開口部１９の一部を閉鎖する蓋体２０として機能する。
その他、蓋体２０としては、図４の（イ）や図５にも示すように、第1回転軸１と着脱壁２１との間を閉鎖する第1蓋体２２と、第1回転軸１と第２回転軸２との間を閉鎖する第２蓋体２３がある。
そして、これら蓋体２０として機能する着脱壁２１および第１と第２蓋体２２，２３は、全て上述したように外板１６とライナー１７で構成され、多数のボルト２４によってケーシング３に対して着脱自在に構成され、着脱壁２１の内側にはスクレーパ１８が取り付けられている。
【００１６】
そして、両回転軸１，２がケーシング３を貫通する箇所には、図２に示すように、ケーシング３側に取り外し可能に取り付けられたシール用の外リング２５と、その外リング２５に対応するように各回転軸１，２に取り付けられた内リング２６が設けられて、両リング２５，２６間にパッキン２７が配設されている。
そのようにして、各回転軸１，２とケーシング３との間が密封されているので、ケーシング３からの汚物の流出が阻止され、しかも、ケーシング３の外表面と各軸受５ａ，５ｂ，６ａ，６ｂとの間には所定の間隔Ｔが確保されているので、軸受５ａ，５ｂ，６ａ，６ｂへの汚物による悪影響が回避される。
【００１７】
つぎに、この破砕装置の作動と破砕刃１０，１３の取り替え作業の手順について説明する。
この破砕装置は、各回転軸１，２のカップリング９に図外の油圧モータを連結して使用され、油圧モータの駆動によって、各回転軸１，２と破砕刃１０，１３は、図３中に矢印で示すように、互いに反対方向、つまり、投入口１４から投入された破砕対象物を両破砕刃１０，１３の間へ引き込む方向へ回転する。
この両破砕刃１０，１３の逆方向への回転によって、破砕対象は所望どおりに破砕され、破砕後の処理物は排出口１５からケーシング３外へと排出される。
【００１８】
破砕刃１０，１３を取り替える場合には、まずシール用の外リング２５をケーシング３側から外し、さらに、図４の（ロ）や図５に示すように、蓋体２０、つまり、着脱壁２１、第１蓋体２２、および、第２蓋体２３をケーシング３から取り外す。
すると、開口部１９が着脱壁２１側は開口した状態となるため、図６に示すように、まず第１回転軸１をほぼ平行する方向へ移動させて、破砕刃１０、軸受５ａ，５ｂ、および、外リング２５と一緒にケーシング３から抜き取り、同様に、第２回転軸２を破砕刃１３、軸受６ａ，６ｂ、および、外リング２５と一緒にケーシング３から抜き取る。
その後、必要に応じて、両回転軸１，２一式を設備の整った工場などに運んで破砕刃１０，１３の取り替え作業を行い、取り替え後の新たな両回転軸１，２一式をケーシング３に組み付けるのである。
【００１９】
〔別実施形態〕
（１）先の実施形態では、第１と第２回転軸１，２を同じ開口部１９から抜き取るように構成した例を示したが、第１回転軸１用には第１回転軸専用の開口部を、また、第２回転軸２用には第２回転軸専用の開口部をそれぞれ各別に設けて実施することもできる。
【００２０】
（２）先の実施形態では、各軸受５ａ，５ｂ，６ａ，６ｂをそれぞれ軸受台７に対して取り外し可能に取り付けて、ケーシング３の外表面との間に間隔Ｔを設けた例を示したが、間隔Ｔについては必ずしも必要ではない。
また、軸受５ａ，５ｂ，６ａ，６ｂを外すに際し、ケーシング３の一部を分解することなく外すことが可能であれば十分であるため、例えば、各軸受５ａ，５ｂ，６ａ，６ｂをケーシング３の外側に位置させて、そのケーシング３に対して取り外し可能に取り付けて実施することもできる。
【図面の簡単な説明】
【００２１】
【図１】破砕装置の一部切欠き平面図
【図２】破砕装置の縦断正面図
【図３】破砕装置の縦断側面図
【図４】破砕装置の一部切欠き側面図
【図５】破砕装置の一部切欠き平面図
【図６】破砕装置の一部切欠き平面図
【符号の説明】
【００２２】
１，２      回転軸
３          ケーシング
５ａ，５ｂ，６ａ，６ｂ  軸受
１０，１３  破砕刃
１４        投入口
１５        排出口
１９        開口部
２０        蓋体
Ｔ          ケーシング外表面と軸受との間の間隔
【図１】
2005296843.tif 000003
【図２】
2005296843.tif 000004
【図３】
2005296843.tif 000005
【図４】
2005296843.tif 000006
【図５】
2005296843.tif 000007
【図６】
2005296843.tif 000008